(57)【要約】【課題】  降雨あるいは霧などの気象条件に対する通信品質を経済性に優れた構成により向上させる。【解決手段】  降雨に比較的強い光空間伝送と、霧に比較的強いミリ波伝送とを併用して伝送する。送信局でミリ波信号を生成する手段に、アンテナ素子が接続されたＰＤを有する光・ミリ波変換回路に光入力する構成とする。このＰＤへの入力光を光分岐器により分岐し、片方をミリ波生成に使用し、一方を光空間伝送する光として使用する。ミリ波で空間伝播させた電気信号と、光で空間伝播させ受信し光電変換した電気信号とを、ダイバーシティ受信する。つまり２つの電気信号を切り替えもしくは合成し、受信信号として使用する。【選択図】  図１
2005277682.tif 000002
【特許請求の範囲】
【請求項１】
高周波成分を含む光信号を発生させ、この光信号を送信データ信号を用いて変調する手段と、
この変調する手段から出力される送信データ信号により変調された高周波成分を含む光信号を電気信号に変換して電波を発生させる手段と、
光空間伝送送信のために設置されたレンズ系と、
前記変調する手段と前記電波を発生させる手段との間に配置され、前記変調する手段からの出力を分岐し、その一方の光分岐出力を前記電波を発生させる手段に入力し、その他方の光分岐出力を前記レンズ系へ導く光分岐手段と
を備えた送信局と、
前記電波を発生させる手段により発生した電波を受信して検波し前記送信データ信号を復調する電波受信手段と、
前記光空間伝送送信のために設置されたレンズ系から出射された光信号が入射される光空間伝送受信のために設置されたレンズ系と、
このレンズ系により受光した光信号を検波して前記送信データ信号を復調する光信号受信手段と、
この光信号受信手段または前記電波受信手段のいずれか一方の出力を選択もしくは前記光信号受信手段および前記電波受信手段の双方の出力を合成しその結果を出力するダイバーシティ受信手段と
を備えた受信局と
から構成されたことを特徴とするダイバーシティ伝送装置。
【請求項２】
前記電波を発生させる手段には発生した電波を増幅する電気信号増幅手段を備えた請求項１記載のダイバーシティ伝送装置。
【請求項３】
前記変調する手段と前記光分岐手段との間には光信号増幅手段を備えた請求項１記載のダイバーシティ伝送装置。
【請求項４】
前記光分岐手段と前記光空間伝送送信のために設置されたレンズ系との間には光信号増幅手段を備えた請求項１記載のダイバーシティ伝送装置。
【請求項５】
前記光分岐手段には、前記電波を発生させる手段への光分岐出力と前記光空間伝送送信のために設置されたレンズ系への光分岐出力との分岐比を可変する手段を備えた請求項１記載のダイバーシティ伝送装置。
【請求項６】
高周波成分を含む光信号を発生させ、この光信号を送信データ信号を用いて変調する手段と、
この変調する手段から出力される送信データ信号により変調された高周波成分を含む光信号を電気信号に変換して電波を発生させる手段と、
光空間伝送送信のために設置されたレンズ系と、
前記変調する手段と前記電波を発生させる手段との間に配置され、前記変調する手段からの出力を分岐し、その一方の光分岐出力を前記電波を発生させる手段に入力し、その他方の光分岐出力を前記レンズ系へ導く光分岐手段と
を備えたことを特徴とする送信局。
【請求項７】
前記電波を発生させる手段には発生した電波を増幅する電気信号増幅手段を備えた請求項６記載の送信局。
【請求項８】
前記変調する手段と前記光分岐手段との間には光信号増幅手段を備えた請求項６記載の送信局。
【請求項９】
前記光分岐手段と前記光空間伝送送信のために設置されたレンズ系との間には光信号増幅手段を備えた請求項６記載の送信局。
【請求項１０】
前記光分岐手段には、前記電波を発生させる手段への光分岐出力と前記光空間伝送送信のために設置されたレンズ系への光分岐出力との分岐比を可変する手段を備えた請求項６記載の送信局。
【請求項１１】
電波を受信して検波し送信データ信号を復調する電波受信手段と、
光空間伝送受信のために設置されたレンズ系と、
このレンズ系により受光した光信号を検波して前記送信データ信号を復調する光信号受信手段と、
この光信号受信手段または前記電波受信手段のいずれか一方の出力を選択もしくは前記光信号受信手段および前記電波受信手段の双方の出力を合成しその結果を出力するダイバーシティ受信手段と
を備えたことを特徴とする受信局。
【請求項１２】
送信局により、
高周波成分を含む光信号を発生させ、この光信号を送信データ信号を用いて変調するステップと、
この変調するステップにより出力される送信データ信号により変調された高周波成分を含む光信号を電気信号に変換して電波を発生させるステップと、
前記変調するステップにより変調された光信号を分岐し、その一方の光分岐出力を前記電波を発生させるステップのために用い、その他方の光分岐出力を光空間伝送送信のために設置されたレンズ系へ導く光分岐ステップと
を実行し、
受信局により、
前記電波を発生させるステップにより発生した電波を受信して検波し前記送信データ信号を復調する電波受信ステップと、
前記光空間伝送送信のために設置されたレンズ系から出射された光信号を受光して検波し前記送信データ信号を復調する光信号受信ステップと、
この光信号受信ステップまたは前記電波受信ステップのいずれかにより得られた出力の一方を選択もしくは前記光信号受信ステップおよび前記電波受信ステップの双方により得られた出力を合成しその結果を出力するダイバーシティ受信ステップと
を実行することを特徴とするダイバーシティ伝送方法。
【請求項１３】
前記電波を発生させるステップを実行した結果として発生した電波を増幅する電気信号増幅ステップを実行する請求項１２記載のダイバーシティ伝送方法。
【請求項１４】
前記変調するステップを実行した結果として得られた変調された光信号を増幅する光信号増幅ステップを実行する請求項１２記載のダイバーシティ伝送方法。
【請求項１５】
前記光分岐ステップを実行した結果として得られた前記光空間伝送送信のために設置されたレンズ系への光分岐出力を増幅する光信号増幅ステップを実行する請求項１２記載のダイバーシティ伝送方法。
【請求項１６】
前記光分岐ステップを実行する際に、前記電波を発生させるステップに用いる光分岐出力と前記光空間伝送送信のために設置されたレンズ系へ導く光分岐出力との分岐比を可変するステップを実行する請求項１２記載のダイバーシティ伝送方法。
【発明の詳細な説明】
【技術分野】
【０００１】
本発明は、送信局および受信局を配置して伝送を行う光空間伝送技術およびミリ波あるいはマイクロ波伝送技術に関する。特に、光ファイバ等の線路媒体を敷設することなく、広帯域伝送路を構築するための技術に関する。
【背景技術】
【０００２】
広帯域の無線リンク形式の目的で、無線の周波数ではミリ波帯（３０〜３００ＧＨｚ）伝送が検討されてきている。この周波数帯を用いることで、広帯域なリンクを形成可能であるが、その電波は直進性が強く、図１２に示すように直進先に通信相手が見える見通し通信となる。そのため、経路上にある障害要因により通信品質が劣化する。この要因としては、気象条件が主であり、ミリ波の場合には、霧に対しては、強い特徴がある一方、降雨の影響が大きく、信号が大きく減衰してしまう（例えば、非特許文献１参照）。
【０００３】
実際には、降雨時の通信品質確保の検討が急がれるが、別経路をミリ波もしくは別の伝送方式で構成し切り替えるということが考えられる。
【非特許文献１】吉川  誠、佐々木  収、明山  哲、高橋  直人、高梨  謙一郎、金澤  亜美、小川  博世、「ギガビットミリ波無線アクセスシステムの開発」、２００３年、電子情報通信学会総合大会、Ｂ−５−２８３、ｐ．７４２
【非特許文献２】谷口  友宏、桜井  尚也、「２段直列光ＤＳＢ−ＳＣ方式による光／電気２段ヘテロダインＲＯＦシステム」、２００３年、電子情報通信学会エレクトロニクスソサイエティ大会、Ｃ−１４−５、ｐ．３３４
【発明の開示】
【発明が解決しようとする課題】
【０００４】
このような従来のミリ波帯伝送で、迂回ルート構成のため最初から規模の大きいネットワークを構成するということであれば、無線通信の特徴である比較的自由に設置できるメリットを損ない、また、経済的にも高いコストを強いられることになり問題である。また、異なる伝送方式による伝送路と切り替えるには、エラーなどの検出から切替動作に時間がかかり、通信品質上の問題がある。
【０００５】
こうした課題は、ミリ波より帯域が狭いマイクロ波でも同様である。以下、広帯域への適用を前提に、ミリ波として記述するが、マイクロ波等の同様の特徴を有する電波でも、本発明の手法が適用可能である。
【０００６】
本発明は、このような背景に行われたものであって、降雨あるいは霧などの気象条件に対する通信品質を経済性に優れた構成により向上させることができるダイバーシティ伝送装置および方法を提供することを目的とする。
【課題を解決するための手段】
【０００７】
広帯域な空間伝播型通信を、気象条件に対して高信頼な形で実現するため、気象条件の内、降雨に比較的強い光空間伝送と、同様に、気象条件の内、霧に比較的強いミリ波伝送とを併用して伝送する。
【０００８】
例えば、送信局でミリ波信号を生成する際に、アンテナ素子が接続されたフォトダイオード（ＰＤ）を有する光・ミリ波変換回路に光入力する構成とする（例えば、非特許文献２参照）。このＰＤへの入力光を光分岐器により分岐し、片方をミリ波生成に使用し、一方を光空間伝送する光として使用する。こうして空間伝播するミリ波および光信号を受信局で受信する。ミリ波信号は、アンテナで受信し電気信号に変換する。光信号は、ＰＤで光電変換し、ミリ波帯の電気信号に変換する。
【０００９】
ミリ波で空間伝播させ受信した電気信号と、光で空間伝播させ受信し光電変換した電気信号とを、ダイバーシティ受信する。つまり２つの電気信号を切り替えもしくは合成し、受信信号として使用する。通信品質は、光空間伝送にあっても降雨時に、ミリ波にあっても霧発生時に、劣化の可能性がある。この場合には、波長（ミリ波と光（μｍオーダ））の違い、雨または霧の粒子サイズの違いなどで、伝播損失の時間応答がミリ波と光とでは異なると考えられるため、ダイバーシティによる相補効果から、特性の向上が望める。
【００１０】
このことにより、簡素な回路構成であると同時に伝送装置レベルの切り替え不要の方式を実現する。
【００１１】
すなわち、本発明の第一の観点は、高周波成分を含む光信号を発生させ、この光信号を送信データ信号を用いて変調する手段と、この変調する手段から出力される送信データ信号により変調された高周波成分を含む光信号を電気信号に変換して電波を発生させる手段と、光空間伝送送信のために設置されたレンズ系と、前記変調する手段と前記電波を発生させる手段との間に配置され、前記変調する手段からの出力を分岐し、その一方の光分岐出力を前記電波を発生させる手段に入力し、その他方の光分岐出力を前記レンズ系へ導く光分岐手段とを備えた送信局と、前記電波を発生させる手段により発生した電波を受信して検波し前記送信データ信号を復調する電波受信手段と、前記光空間伝送送信のために設置されたレンズ系から出射された光信号が入射される光空間伝送受信のために設置されたレンズ系と、このレンズ系により受光した光信号を検波して前記送信データ信号を復調する光信号受信手段と、この光信号受信手段または前記電波受信手段のいずれか一方の出力を選択もしくは前記光信号受信手段および前記電波受信手段の双方の出力を合成しその結果を出力するダイバーシティ受信手段とを備えた受信局とから構成されたことを特徴とするダイバーシティ伝送装置である（請求項１）。
【００１２】
このように、はじめから高周波成分を含む光信号を用いることによって、ＰＤなどを用いた光・電気変換により、簡単に電波を発生させることができるため、回路規模およびコストを低く抑えることができる。
【００１３】
前記電波を発生させる手段には発生した電波を増幅する電気信号増幅手段を備えることができる（請求項２）。また、前記変調する手段と前記光分岐手段との間には光信号増幅手段を備えることができる（請求項３）。あるいは、前記光分岐手段と前記光空間伝送送信のために設置されたレンズ系との間には光信号増幅手段を備えることができる（請求項４）。
【００１４】
これにより、伝送に用いる信号強度を調整することができるため、本発明の適用範囲を広げることができる。
【００１５】
さらに、前記光分岐手段には、前記電波を発生させる手段への光分岐出力と前記光空間伝送送信のために設置されたレンズ系への光分岐出力との分岐比を可変する手段を備えることができる（請求項５）。
【００１６】
これによれば、通信を行うときの気象条件などに配慮して電波による通信信号または光信号による通信信号のいずれかの信号強度を高めることができる。前述したように、気象条件の内、光空間伝送は、降雨に比較的強く、ミリ波伝送は、霧に比較的強いので、降雨時には前記光空間伝送送信のために設置されたレンズ系への光分岐出力が前記電波を発生させる手段への光分岐出力よりも強いように分岐比を調整し、霧時には前記電波を発生させる手段への光分岐出力が前記光空間伝送送信のために設置されたレンズ系への光分岐出力よりも強いように分岐比を調整することができる。
【００１７】
本発明の第二の観点は、高周波成分を含む光信号を発生させ、この光信号を送信データ信号を用いて変調する手段と、この変調する手段から出力される送信データ信号により変調された高周波成分を含む光信号を電気信号に変換して電波を発生させる手段と、光空間伝送送信のために設置されたレンズ系と、前記変調する手段と前記電波を発生させる手段との間に配置され、前記変調する手段からの出力を分岐し、その一方の光分岐出力を前記電波を発生させる手段に入力し、その他方の光分岐出力を前記レンズ系へ導く光分岐手段とを備えたことを特徴とする送信局である（請求項６）。
【００１８】
前記電波を発生させる手段には発生した電波を増幅する電気信号増幅手段を備えることができる（請求項７）。また、前記変調する手段と前記光分岐手段との間には光信号増幅手段を備えることができる（請求項８）。また、前記光分岐手段と前記光空間伝送送信のために設置されたレンズ系との間には光信号増幅手段を備えることができる（請求項９）。
【００１９】
さらに、前記光分岐手段には、前記電波を発生させる手段への光分岐出力と前記光空間伝送送信のために設置されたレンズ系への光分岐出力との分岐比を可変する手段を備えることができる（請求項１０）。
【００２０】
本発明の第三の観点は、電波を受信して検波し送信データ信号を復調する電波受信手段と、光空間伝送受信のために設置されたレンズ系と、このレンズ系により受光した光信号を検波して前記送信データ信号を復調する光信号受信手段と、この光信号受信手段または前記電波受信手段のいずれか一方の出力を選択もしくは前記光信号受信手段および前記電波受信手段の双方の出力を合成しその結果を出力するダイバーシティ受信手段とを備えたことを特徴とする受信局である（請求項１１）。
【００２１】
本発明の第四の観点は、送信局により、高周波成分を含む光信号を発生させ、この光信号を送信データ信号を用いて変調するステップと、この変調するステップにより出力される送信データ信号により変調された高周波成分を含む光信号を電気信号に変換して電波を発生させるステップと、前記変調するステップにより変調された光信号を分岐し、その一方の光分岐出力を前記電波を発生させるステップのために用い、その他方の光分岐出力を光空間伝送送信のために設置されたレンズ系へ導く光分岐ステップとを実行し、受信局により、前記電波を発生させるステップにより発生した電波を受信して検波し前記送信データ信号を復調する電波受信ステップと、前記光空間伝送送信のために設置されたレンズ系から出射された光信号を受光して検波し前記送信データ信号を復調する光信号受信ステップと、この光信号受信ステップまたは前記電波受信ステップのいずれかにより得られた出力の一方を選択もしくは前記光信号受信ステップおよび前記電波受信ステップの双方により得られた出力を合成しその結果を出力するダイバーシティ受信ステップとを実行することを特徴とするダイバーシティ伝送方法である（請求項１２）。
【００２２】
前記電波を発生させるステップを実行した結果として発生した電波を増幅する電気信号増幅ステップを実行することができる（請求項１３）。また、前記変調するステップを実行した結果として得られた変調された光信号を増幅する光信号増幅ステップを実行することができる（請求項１４）。また、前記光分岐ステップを実行した結果として得られた前記光空間伝送送信のために設置されたレンズ系への光分岐出力を増幅する光信号増幅ステップを実行することができる（請求項１５）。
【００２３】
さらに、前記光分岐ステップを実行する際に、前記電波を発生させるステップに用いる光分岐出力と前記光空間伝送送信のために設置されたレンズ系へ導く光分岐出力との分岐比を可変するステップを実行することができる（請求項１６）。
【発明の効果】
【００２４】
本発明によれば、見通し通信が求められる環境下で、電波を使用した通信が、光を使用した通信と相補的に構築され、見通し通信の欠点とされる気象条件の変化に対して、通信特性の改善が可能となる。また、構成自体は、電波を使用した通信部分の多くを共有できるため、複数の伝送装置を大掛かりに設置するのと異なり、経済的な構成が可能であり、また、比較的コンパクトになる効果も期待できる。広帯域通信を意識してミリ波として説明したが、マイクロ波等にも適用可能である。
【発明を実施するための最良の形態】
【００２５】
本発明実施例のダイバーシティ伝送装置の全体構成を図１を参照して説明する。図１は本実施例のダイバーシティ伝送装置の全体構成図である。
【００２６】
本実施例のダイバーシティ伝送装置は、図１に示すように、高周波成分を含む光信号を発生させ、この光信号を送信データ信号を用いて変調するミリ波生成用光信号発生回路１と、このミリ波生成用光信号発生回路１から出力される送信データ信号により変調された高周波成分を含む光信号を電気信号に変換して電波を発生させる光・ミリ波変換回路２と、光空間伝送送信のために設置されたレンズ系３と、ミリ波生成用光信号発生回路１と光・ミリ波変換回路２との間に配置され、ミリ波生成用光信号発生回路１からの出力を分岐し、その一方の光分岐出力を光・ミリ波変換回路２に入力し、その他方の光分岐出力をレンズ系３へ導く光分岐器４とを備えた送信局１０と、光・ミリ波変換回路２により発生した電波を受信して検波し前記送信データ信号を復調するミリ波受信回路１２と、レンズ系３から出射された光信号が入射される光空間伝送受信のために設置されたレンズ系１１と、このレンズ系１１により受光した光信号を検波して前記送信データ信号を復調する光・ミリ波変換回路１３と、この光・ミリ波変換回路１３またはミリ波受信回路１２のいずれか一方の出力を選択もしくは光・ミリ波変換回路１３およびミリ波受信回路１２の双方の出力を合成しその結果を出力するダイバーシティ受信回路１４とを備えた受信局２０とから構成されたことを特徴とするダイバーシティ伝送装置である（請求項１、６、１１、１２）。
【００２７】
光・ミリ波変換回路２には発生した電波を増幅する電気信号増幅手段を備えることができる（請求項２、７、１３）。また、ミリ波生成用光信号発生回路１と光分岐器４との間には光信号増幅手段を備えることができる（請求項３、８、１４）。また、光分岐器４とレンズ系３との間には光信号増幅手段を備えることができる（請求項４、９、１５）。
【００２８】
これらの増幅手段は、送信局１０の用途に応じて全て備えてもよいし、あるいは、一部を備えてもよい。
【００２９】
さらに、光分岐器４には、光・ミリ波変換回路２への光分岐出力とレンズ系３への光分岐出力との分岐比を可変する手段を備えることができる（請求項５、１０、１６）。なお、図１において、この可変する手段の図示は省略した。具体的には、分岐比を可変することができる光デバイスによってこの可変する手段を実現することができる。
【００３０】
以下では、本実施例をさらに詳細に説明する。
【００３１】
ミリ波生成用光信号発生回路１には、送信信号が入力される。高周波信号、特にミリ波領域になってくると、電気回路のみでの実現には非常にデリケートな技術が必要になるため、こうした光を利用した手法が多く検討されている。ミリ波生成用光信号発生回路１と、光・ミリ波変換回路２により、送信信号の情報がミリ波で送られる。
【００３２】
図２および図３にミリ波生成用光信号発生回路１の例を示した。図２の例では、半導体レーザ２１からの光を、光変調器♯１が局所発振器によりミリ波帯の周波数成分を生成するための役割をする。光変調器♯２は、変調データ信号により駆動され、中間周波数（ＩＦ）帯での成分を生成する。
【００３３】
図３の例では、モードロックレーザ２２により、光の時間幅の短い短パルス列を生成し、各光パルス間に光パルスを挿入する光短パルス多重化器２３によりミリ波の周波数成分を有する光パルスとする。こうして得られた高周波の光パルスを、光変調器２４により送信データ信号を用いて変調する。
【００３４】
この送信データ信号をＰＤで受光するとミリ波成分を有する信号が得られる、すなわち、ミリ波信号の検波が行われる（必要に応じてフィルタ等を使用する）。
【００３５】
他の方法もあり、例えば図２に近いものとしては、ＬＤを複数用いて、ＬＤ間の周波数差を利用するものがある。その部分の構成によらず、図１の形態に対し本発明は適用可能である。
【００３６】
図４に光・ミリ波変換回路２の例を示した。ＰＤ３０とアンテナ３１とから構成される。図２または図３の回路で得られた光信号をＰＤ３０に入射することで、入力信号に対応して、ミリ波帯の電波がアンテナ３１から放出される。
【００３７】
図５、図６、図７にミリ波受信回路１２の構成例を示した。図５および図６に示した２つの構成は同期検波の例である。ミリ波の変調波（搬送波）と同期した局所発振器４１とミキシングすることで、変調されたデータ信号を取り出す。通常は、図６に示すように一度、ＩＦ（中間周波数）帯に落とすなどして処理を行う。変調されたデータ信号は適宜、復調し、ベースバンド信号とする。ただし、ダイバーシティ受信回路１４に入力する場合は、処理に適当な信号で入力する。例えば、ベースバンド信号とする必要は必ずしもなく、ダイバーシティ受信回路１４の中に形成すればよい。
【００３８】
図７の下に示した例は非同期検波する場合の例で、ｓｃｈｏｔｔｋｙ  ｄｉｏｄｅ５１により整流しフィルタ５２により、包絡検波する。この結果、“０”、“１”のベースバンド信号が得られる。
【００３９】
図８および図９に光・ミリ波変換回路１３の構成例を示した。図８の例は、ＰＤで受光することによって検波される。図９の例は、適当なバイアス回路と抵抗とを用いた構成である。
【００４０】
ダイバーシティ受信回路１４には選択型と合成型があり、いずれも一般的な手法を適用できる。図１０に選択型のダイバーシティ受信回路１４の構成例を示した。アンテナおよび受信回路がそれぞれ２個あり、ロジックにより切り替わる選択回路により、入力のうちどちらかを選択し、ダイバーシティ受信回路１４の出力とする。ここでの受信回路は、なにもしない（アンテナの受信信号）、ＩＦ（中間周波数）にダウンコンバートした結果、あるいは、ベースバンド復調の結果、等のいずれでもよい。選択するロジックは、アンテナ受信強度やＩＦの包絡線の強度などを、参照レベルと比較するなどして決定する。
【００４１】
図１１に合成型のダイバーシティ受信回路１４の構成例を示した。アンテナおよび受信機がそれぞれ２個あり、可変利得増幅器６０−１、６０−２により２つの入力レベルを調節し、位相調整と合成回路６１に入力される。可変利得増幅器６０−１、６０−２は、入力レベル調整、ＣＮ（キャリア対雑音）比を適切にするために用いられる。ダイバーシティ回路の構成により必ずしも必須ではない。位相調整と合成回路６１により、入力のうちどちらかを選択し、ダイバーシティ受信回路１４の出力とする。
【００４２】
図１において、伝播時の減衰などを考慮し送信電力を設計するが、その通信のための必要電力に応じて、光・ミリ波変換回路２の部分に電気信号増幅器、ミリ波生成用光信号発生回路１と光分岐器４との間に光信号増幅器、あるいは光分岐器４と光空間伝送送信用レンズ系３との間に光信号増幅器を配置することにより適用範囲が広がる。全てを配置する必要は必ずしもなく、その内の１つもしくは複数の選択が可能である。
【００４３】
例えば、光信号よりもミリ波による通信信号強度を高めることが望まれる場合には、光・ミリ波変換回路２に電気信号増幅器を設ける。また、ミリ波よりも光信号による通信信号強度を高めることが望まれる場合には、光分岐器４とレンズ系３との間に光信号増幅器を備える。また、光信号とミリ波との双方の通信信号強度を高めることが望まれる場合には、ミリ波生成用光信号発生回路１と光分岐器４との間に光信号増幅器を備える。なお、図１において、これらの電気信号増幅器あるいは光信号増幅器の図示は省略した。
【００４４】
また、図１において光分岐器４を分岐比が可変な光分岐デバイスとすることで、空間伝播におけるミリ波と光信号での通信電力の割合を適応的に調節できる。これは、ミリ波が有利な場合と、光が有利な場合とが時間の経過と共に気象が変化し変わることがあるからで、その変化に応じて変えることで良好な通信品質を柔軟に実現できる。
【００４５】
例えば、通信を行うときの気象条件などに配慮して電波による通信信号または光信号による通信信号のいずれかの信号強度を高めることができる。前述したように、気象条件の内、光空間伝送は、降雨に比較的強く、ミリ波伝送は、霧に比較的強いので、降雨時にはレンズ系３への光分岐出力が光・ミリ波変換回路２への光分岐出力よりも強いように分岐比を調整し、霧時には光・ミリ波変換回路２への光分岐出力がレンズ系３への光分岐出力よりも強いように分岐比を調整することができる。
【産業上の利用可能性】
【００４６】
本発明によれば、降雨あるいは霧などの気象条件に対する通信品質を経済性に優れた構成により向上させることができるので、安価で高信頼な通信設備を提供することができる。
【図面の簡単な説明】
【００４７】
【図１】本実施例のダイバーシティ伝送装置の全体構成図。
【図２】本実施例のミリ波生成用光信号発生回路の構成例を示す図。
【図３】本実施例のミリ波生成用光信号発生回路の構成例を示す図。
【図４】本実施例の光・ミリ波変換回路（送信局側）の構成例を示す図。
【図５】本実施例のミリ波受信回路の構成例を示す図。
【図６】本実施例のミリ波受信回路の構成例を示す図。
【図７】本実施例のミリ波受信回路の構成例を示す図。
【図８】本実施例の光・ミリ波変換回路（受信局側）の構成例を示す図。
【図９】本実施例の光・ミリ波変換回路（受信局側）の構成例を示す図。
【図１０】本実施例のダイバーシティ受信回路（選択型）の構成例を示す図。
【図１１】本実施例のダイバーシティ受信回路（合成型）の構成例を示す図。
【図１２】空間伝播を利用した見通し通信における問題点を示す図。
【符号の説明】
【００４８】
１  ミリ波生成用光信号発生回路
２、１３  光・ミリ波変換回路
３、１１  レンズ系
４  光分岐器
１０  送信局
１２  ミリ波受信回路
１４  ダイバーシティ受信回路
２０  受信局
２１  半導体レーザ
２２  モードロックレーザ
２３  光短パルス多重化器
２４  光変調器
３０  ＰＤ
３１  アンテナ
４１  局所発振器
５１  Ｓｃｈｏｔｔｋｙ  ｄｉｏｄｅ
５２  フィルタ
６０−１、６０−２  可変利得増幅器
６１  位相調整と合成回路
【図１】
2005277682.tif 000003
【図２】
2005277682.tif 000004
【図３】
2005277682.tif 000005
【図４】
2005277682.tif 000006
【図５】
2005277682.tif 000007
【図６】
2005277682.tif 000008
【図７】
2005277682.tif 000009
【図８】
2005277682.tif 000010
【図９】
2005277682.tif 000011
【図１０】
2005277682.tif 000012
【図１１】
2005277682.tif 000013
【図１２】
2005277682.tif 000014